(57)【要約】【課題】吹出口から吸込口に流れる調和空気のショートサーキットを低減できる空気調和機を提供する。【解決手段】キャビネット１内に室内熱交換器６が内装され、キャビネット１に吸込口２が設けられ、吸込口２から吸い込まれた室内空気が室内熱交換器６を通って調和されてキャビネット１の前下部に形成された吹出口４から放出され、吹出口４に横ルーバ１７が開閉可能に設けられた空気調和機であって、吹出口４より上方に吸込口２が設けられ、吹出口の上壁４ａに突起部１３が設けられ、吹出口４から下方向に向けて調和空気を吹き出す際に、横ルーバ１７の下端部を突起部１３に近接させ、調和空気が横ルーバ１７と突起部１３との間を通過して吸込口に向かうのを低減する。【選択図】  図４
2014055684.tif 000002
【特許請求の範囲】
【請求項１】
キャビネット内に室内熱交換器が内装され、前記キャビネットに吸込口が設けられ、吸込口から吸い込まれた室内空気が室内熱交換器を通って調和されてキャビネットの前下部に形成された吹出口から放出され、前記吹出口に横ルーバが開閉可能に設けられた空気調和機であって、前記吹出口より上方に前記吸込口が設けられ、前記吹出口の上壁に突起部が設けられ、前記吹出口から下方向に向けて調和空気を吹き出す際に、前記横ルーバの下端部を前記突起部に近接させ、調和空気が横ルーバと突起部との間を通過して吸込口に向かうのを低減することを特徴とする空気調和機。
【請求項２】
前記吹出口から下方向に向けて調和空気を吹き出す際に、送風方向において前記横ルーバが前記突起部と一部重なるように配置されたことを特徴とする請求項１に記載の空気調和機。
【請求項３】
前記吹出口から下方向に向けて調和空気を吹き出す際に、前記横ルーバの下端部が前記突起部よりも送風方向上流側に位置することを特徴とする請求項２に記載の空気調和機。
【発明の詳細な説明】
【技術分野】
【０００１】
本発明は、キャビネットの吸込口から取り入れた空気を調和して吹出口から室内に放出する空気調和機に関するものである。
【背景技術】
【０００２】
従来、この種の空気調和機として、特許文献１には、筐体の前面上部に空気吸込口を備え、前面下部に空気吹出口を備え、空気吸込口と空気吹出口とを結ぶ内部空気循環通路に送風機を配置し、空気吹出口の上壁に突起部を形成した空気調和機が開示されている。
【０００３】
上記空気調和機では、空気吹出口の上壁から下方に突起部を突出させることで、ショートサーキットを阻止することが可能となる。
【先行技術文献】
【特許文献】
【０００４】
【特許文献１】特開平3-211328号公報
【発明の概要】
【発明が解決しようとする課題】
【０００５】
しかしながら、特許文献１では、横ルーバ自体の記載がないため、空気吹出口から吹き出す空気の向きを横ルーバにより上下方向に変化させたときのショートサーキットに及ぼす影響については全く考慮されていない。すなわち、本発明者は、特許文献１において、空気吹出口に横ルーバを設置して風向きを上下方向に変化させた場合、空気吹出口から下方向に向けて風を吹き出すべく、横ルーバを下向きにしたときに、横ルーバと吹出口上壁との間から筐体前面側に調和空気が流出し、そのうちの少なくとも一部が吸込口に吸い込まれることでショートサーキットが発生する可能のあることを見い出した。
【０００６】
ショートサーキットが発生すると、吸込口から吸い込んだ室内空気の温度を検出するサーミスタにおいて正確な温度が検出できず、適切な空気調和機の運転が出来なくなるとともに、冷暖房能力の低下を招くことになる。
【０００７】
そこで、本発明は、吹出口から吹き出す調和空気の向きを上下方向に変化させた場合でもショートサーキットを抑制可能な空気調和機の提供を目的としている。
【課題を解決するための手段】
【０００８】
上記目的を達成するために、本発明に係る空気調和機は、キャビネット内に室内熱交換器が内装され、前記キャビネットに吸込口が設けられ、吸込口から吸い込まれた室内空気が室内熱交換器を通って調和されてキャビネットの前下部に形成された吹出口から放出され、前記吹出口に横ルーバが開閉可能に設けられた空気調和機であって、前記吹出口より上方に前記吸込口が設けられ、前記吹出口の上壁に突起部が設けられ、前記吹出口から下方向に向けて調和空気を吹き出す際に、前記横ルーバの下端部を前記突起部に近接させ、調和空気が横ルーバと突起部との間を通過して吸込口に向かうのを低減することを特徴とする。
【０００９】
上記構成によると、横ルーバを下向きに傾斜させて吹出口から吹き出す調和空気を下方向に導く際に、横ルーバと吹出口の上壁との隙間を通過した調和空気が吸込口に吸い込まれるショートサーキットを抑制することが可能となる。これにより、吸込口から吸い込んだ室内空気の温度を正確に検知することができ、適切な運転が可能となる。横ルーバの下端部を突起部に近接させる場合、横ルーバ下端部と突起部とを接触させてもよいし、ショートサーキットを低減できる範囲で両者の間に隙間が存在してもよい。
【００１０】
吹出口から下方向に向けて調和空気を吹き出す際、横ルーバ下端と突起部の先端とが近接するようにしてもよいが、送風方向において前記横ルーバが前記突起部と一部重なるように配置された構成とすることも可能である。これにより、横ルーバの下端部と突起部との間に多少の隙間が存在していても、隙間が屈曲形成されるために調和空気の通過が制限され、ショートサーキットを効果的に抑制することができる。
【００１１】
吹出口から下方向に向けて調和空気を吹き出す際に、横ルーバの下端部が突起部よりも送風方向上流側に位置するようにすれば、すなわち、横ルーバの下端部が突起部の送風方向上流側の面に近接するようにすれば、横ルーバの下端部と突起部との間に多少の隙間が存在していても、隙間の入口が調和空気の勢いが弱くなる吹出口の上壁位置に形成されるため、ショートサーキットをより効果的に抑制することができる。
【発明の効果】
【００１２】
以上のとおり、本発明によると、吹出口から下方向に向けて調和空気を吹き出す際に、横ルーバの下端部を突起部に近接させることにより、横ルーバと吹出口の上壁との隙間を通過した調和空気が吸込口に吸い込まれるショートサーキットを低減することが可能となる。
【図面の簡単な説明】
【００１３】
【図１】本発明に係る空気調和機の室内機における横ルーバの閉姿勢を示す外観正面図
【図２】図１の側面断面図
【図３】同じく室内機における横ルーバの前方吹出姿勢を示す側面断面図
【図４】同じく室内機における横ルーバの下方吹出姿勢を示す一部側面断面図
【図５】別の実施形態である横ルーバの下方吹出姿勢を示す一部側面断面図
【発明を実施するための最良の形態】
【００１４】
本発明に係る実施形態を図面に基づいて説明する。本実施形態ではセパレート型空気調和機の室内機を例に説明する。この種の空気調和機は、室内機の内部に収容される室内熱交換器と、図示しない室外機に収容される圧縮機、四方弁、室外熱交換器、絞り装置（共に図示せず）とが冷媒管によって接続されて冷凍サイクルが構成され、冷房、暖房、除湿などの各種運転モードを実行できるようになっている。
【００１５】
室内機は、図１および図２に示すように、キャビネット１の上面に室内空気を吸込む吸込口２が形成される。キャビネット１の吸込口２部分には格子状の吸込グリル１１が形成される。なお、吸込口２は、キャビネット１の上面に形成するほか、キャビネット１の前面上部に形成してもよいし、キャビネット１の前面上部及び上面の両方に形成することも可能である。
【００１６】
キャビネット１の前面下方に吹出口４が形成される。なお、キャビネット１を正面から見て幅方向を左右方向Ｘとし、キャビネットの高さ方向を上下方向Ｙとし、キャビネット１の奥行き方向を前後方向Ｚとする。
【００１７】
キャビネット１内には、図２に示すように、吸込口２から吹出口４に至る空気通路５が形成され、この空気通路５に送風方向Ａの上流側からフィルタ３、室内熱交換器６及びファン７がこの順に配置されている。熱交換器６の送風方向上流側表面には吸込口２から吸い込まれた室内空気の温度を検知する温度センサ８が取り付けられている。
【００１８】
室内熱交換器６は、前面側熱交換器６ａと背面側熱交換器６ｂの２個の熱交換器が逆Ｖ字状に配置されており、前面側熱交換器６ａの下方にはドレンパン９が配置され、熱交換器６で生成されるドレン水を受けるようになっている。さらに、ドレンパン９の下面にスタビライザ１２が取り付けられる。
【００１９】
ファン７は、クロスフローファンであり、空気通路５の下流側で室内熱交換器６に囲まれた空間内に配置される。空気通路５のうちファン７よりも下流側は、リアガイダ１０とスタビライザ１２とで構成され、ファン７からの送風がキャビネット１の前面下部の吹出口４に導かれる。
【００２０】
より詳しくは、リアガイダ１０は凹状曲面に形成され、ファン７の後側の案内壁から吹出口の下壁４ｂに至る送風案内壁として機能し、スタビライザ１２は、ファン７の前側の案内壁から吹出口の上壁４ａに至る送風案内壁として機能する。そして、スタビライザ１２の下面に突起部１３が形成される。突起部１３は、先細で前後方向の断面が三角形状の突条部として吹出口４の幅方向（左右方向）全体に延設される。
【００２１】
キャビネット１の前面には、前面側熱交換器６ａに対向して前面開口１ａが形成されている。この前面開口１ａを覆うように前カバー１４がキャビネット１に着脱可能に取り付けられる。フィルタ３は、前カバー１４を開放することにより、キャビネット１の前面から取り外すことができる。前カバー１４は、平板状のものであって、左右方向の幅がキャビネット１の横幅とほぼ等しく、また、高さはキャビネットの前面開口１ａを覆う高さに設定される。
【００２２】
キャビネット１は、その前側下部において、前カバー１４よりも下側が側面視で円弧状に後退して底壁部１５に至る。吹出口４の前方に横軸１６周りに開閉回動可能に設けられた横ルーバ１７と、横ルーバ１７の後側（送風方向の上流側）の吹出口の下壁４ｂに揺動可能に配置された複数の縦ルーバ１８とを備えている。横ルーバ１７は、吹出口４の前方に配置されて閉姿勢でキャビネット１の外観の一部を形成するため、側面視で円弧状に湾曲した形状とされる。
【００２３】
横ルーバ１７は図示しない制御部により回動動作が制御される。より具体的に、制御部は、マイコンからなり、横ルーバ１７やファン７のほかに、図示しない圧縮機等を駆動制御する。制御部は、キャビネット１に内装され、リモコンあるいはキャビネットに設けられた操作スイッチからの操作信号に応じて、冷暖房運転、除湿運転、換気運転といった各種運転の実行、ファン７の回転数及び横ルーバ１７の向き等を制御する。
【００２４】
横ルーバ１７は、図１，２に示す閉姿勢から、横軸１６周りに横ルーバ１７の上端を前方に回動させることで、調和空気を上方に吹き出す上方吹出姿勢を経て、図３に示すように、調和空気を前方に吹き出す前方吹出姿勢をとる。なお、横ルーバ１７の上端とは、閉姿勢時における横ルーバの上側の端部であり、横ルーバ１７の下端とは、閉姿勢時における横ルーバの下側の端部である。
【００２５】
前方吹出姿勢からさらに横ルーバ１７の上端を下方に回動させると、図４に示すように、横ルーバ１７の前面を利用して吹出口４から放出された調和空気を斜め下方に吹き出す下方吹出姿勢をとる。このように、横ルーバ１７は、閉姿勢〜下方吹出姿勢の間で開閉回動可能とされる。
【００２６】
上記構成の空気調和機において、横ルーバ１７を前方吹出姿勢にして調和空気を吹き出すと、図３に示すように、吹出口の上壁４ａに沿って送風方向Ａの方向に流れる調和空気は、突起部１３に衝突することで、黒色矢印で示すように、吹出口上壁４ａから剥離して吹出口４の前方に送出される。これにより、ショートサーキットを低減することが可能となる。
【００２７】
横ルーバ１７を下方吹出姿勢にして調和空気を吹き出すと、図４に示すように、横ルーバ１７の外表面が送風方向Ａに対して上流側を向くようになる。なお、横ルーバ１７は、前述ごとく、側面視で円弧状に湾曲して形成されるため、横ルーバ１７が下方吹出姿勢をとったときは、横ルーバ１７は上流側に向かって凸状に湾曲した形成となる。
【００２８】
このとき、横ルーバ１７は下端部にいくほど、送風方向Ａに対して大きく傾斜することになるため、空気通路を流れる調和空気から受ける抵抗も大きくなる。したがって、横ルーバ１７の下端部と、吹出口の上壁４ａとの間に十分な隙間が存在する場合には、その隙間を通過して吹出口４から流出する調和空気量が増加し、キャビネット１の前面に沿って、あるいはその近傍を流れて、吸込口２に吸い込まれるショートサーキットが発生する可能性が大きくなる。
【００２９】
これに対して、本実施形態では、図４に示すように、横ルーバ１７の下端が突起部１３に接触するため、吹出口の上壁４ａに沿って流れる調和空気は強制的に向きを変えられ、吹出口４から下方に向かって放出される。これにより、ショートサーキットを低減することができる。
【００３０】
閉姿勢から下方吹出姿勢の間での横ルーバ１７の姿勢の変更は、リモコンあるいはキャビネットに設けられた操作スイッチから制御部に入力された操作信号により、段階的又は連続的に行なうことができる。
【００３１】
以上、本発明の実施形態につき説明したが、本発明の範囲はこれに限定されるものではなく、発明の主旨を逸脱しない範囲で種々の変更を加えて実施することができる。たとえば、図４では下方吹き出しの際に、横ルーバ１７の下端部が突起部１３の先端と接触する態様について説明したが、これに限らず、図５に示すように、ショートサーキットを低減できる範囲で横ルーバ１７と突起部１３との間に隙間が存在してもよい。
【００３２】
すなわち、図５に示す態様では、横ルーバ１７の下端部が突起部１３よりも送風方向Ａの上流側に位置し、かつ送風方向Ａにおいて横ルーバ１７が突起部１３と一部重なるように配置される構成としている。
【００３３】
上記構成により、横ルーバ１７の下端部と、吹出口の上壁４ａ及び突起部１３との間に隙間が形成されても、隙間の入口が調和空気の勢いが最も弱くなる吹出口の上壁４ａの位置に形成され、しかも、隙間は、図５の一点鎖線の矢印で示すように屈曲形成されるため、この隙間を通過する調和空気は大きな抵抗を受けることになり、隙間を通過する調和空気量が制限される。これにより、ショートサーキットを効果的に抑制することができる。
【００３４】
また、本実施形態では、突起部１３はスタビライザ１２の下面に形成しているが、これに限らず、スタビライザ１２を備えずに、ドレンパン９の下面に突起部を設けるようにしてもよい。さらに、本実施形態では、突起部１３は、吹出口４の幅方向の全体に設けられているが、ショートサーキットを低減可能な範囲で吹出口４の幅方向の一部に形成してもよい。
【００３５】
また、図４では下方吹き出しの際に、横ルーバ１７の下端部が突起部１３の先端と接触する態様について説明したが、横ルーバ１７をさらに反時計回りに回動させて、突起部１３の前方（送風方向の下流側）に横ルーバ１７の下端が位置するようにしてもよい。これにより、突起部１３により向きを変更された風が横ルーバ１７に沿って下方に導かれ、横ルーバ１７と吹出口の上壁４ａとの隙間が、送風方向の上流側から見て突起部１３により隠されるため、隙間を通って漏れる風を低減できる。
【符号の説明】
【００３６】
１      キャビネット
１ａ    前面開口
２      吸込口
３      フィルタ
４      吹出口
４ａ    吹出口の上壁
４ｂ    吹出口の下壁
５      空気通路
６      室内熱交換器
６ａ    前面側熱交換器
６ｂ    背面側熱交換器
７      ファン
８      温度センサ
９      ドレンパン
１０    リアガイダ
１１    吸込みグリル
１２    スタビライザ
１３    突起部
１４    前カバー
１５    底壁部
１６    横軸
１７    横ルーバ
１８    縦ルーバ
【図１】
2014055684.tif 000003
【図２】
2014055684.tif 000004
【図３】
2014055684.tif 000005
【図４】
2014055684.tif 000006
【図５】
2014055684.tif 000007